(57)【要約】      （修正有）【課題】意図しない迷惑な印刷を抑止できるプリンタ及びプリントシステムを提供する。【解決手段】プリンタ９は、印刷ジョブＰＪＢを受信するとともに、通信端末を識別する識別情報ＩＤＴを受信する受信部９０１と、受信部９０１により受信された印刷ジョブに従って印刷を実行する印刷実行部９０２と、所定期間当たりの印刷ジョブの印刷枚数の制限を示す枚数制限情報が、識別情報に対応付けて記録された記録部９０３と、通信端末において、受信部９０１により受信された印刷ジョブが示す印刷枚数の所定期間における累積枚数が、記録部９０３に記録された枚数制限情報が示す印刷制限枚数ＰＲＣを超えているか否かを判定する判定部９０４と、判定部９０４により枚数制限情報が示す印刷制限枚数ＰＲＣを超えていると判定された場合、受信部により受信された印刷ジョブを消去する消去部９０５と、を備える。【選択図】図３
2016187903.tif 000002
【特許請求の範囲】
【請求項１】
通信端末とネットワークを介して通信可能なプリンタであって、
前記通信端末から前記ネットワークを介して送信された印刷ジョブを受信するとともに、前記通信端末を識別する識別情報を受信する受信部と、
前記受信部により受信された前記印刷ジョブに従って印刷を実行する印刷実行部と、
所定期間当たりの前記印刷ジョブの印刷枚数の制限を示す枚数制限情報が、前記識別情報に対応付けて記録された記録部と、
前記通信端末において、前記受信部により受信された前記印刷ジョブが示す印刷枚数の所定期間における累積枚数が、前記記録部に記録された前記枚数制限情報が示す印刷制限枚数を超えているか否かを判定する判定部と、
前記判定部により前記枚数制限情報が示す印刷制限枚数を超えていると判定された場合、前記受信部により受信された前記印刷ジョブを消去する消去部と、
を備えるプリンタ。
【請求項２】
通信端末とネットワークを介して通信可能なプリンタであって、
報知部と、
前記通信端末から前記ネットワークを介して送信された印刷ジョブを受信するとともに、前記通信端末を識別する識別情報を受信する受信部と、
前記受信部により受信された前記印刷ジョブに従って印刷を実行する印刷実行部と、
所定期間当たりの前記印刷ジョブの印刷枚数の制限を示す枚数制限情報が、前記識別情報に対応付けて記録された記録部と、
前記通信端末において、前記受信部により受信された前記印刷ジョブが示す印刷枚数の所定期間における累積枚数が、前記記録部に記録された前記枚数制限情報が示す印刷制限枚数を超えているか否かを判定する判定部と、
前記判定部により前記枚数制限情報が示す印刷制限枚数を超えていると判定された場合、前記受信部により受信された前記印刷ジョブを保持部に保持させるとともに、当該印刷制限枚数を超えて印刷を行うか否かを前記報知部により報知させる制御部と、
を備えるプリンタ。 
【請求項３】
前記報知部は、表示部を含み、
前記制御部は、
前記枚数制限情報が示す印刷制限枚数を超えて印刷を行うか否かを前記表示部に表示させる、
請求項２に記載のプリンタ。
【請求項４】
前記制御部は、
前記枚数制限情報が示す印刷制限枚数を超えて印刷する場合、前記保持部に保持された前記印刷ジョブを読み出し、読み出した前記印刷ジョブの印刷を前記印刷実行部に実行させ、前記枚数制限情報が示す印刷制限枚数を超えて印刷しない場合、前記保持部に保持された前記印刷ジョブを削除する
請求項２または３に記載のプリンタ。
【請求項５】
前記制御部は、
前記印刷ジョブが示す印刷枚数の所定期間における累積枚数が、前記枚数制限情報が示す印刷制限枚数を超えている場合、当該印刷制限枚数の印刷を前記印刷実行部に実行させた後、残りの枚数の印刷を行うか否かを前記表示部に表示させ、ユーザから印刷を行う旨の指示を受けると、残りの枚数の印刷を前記印刷実行部に実行させ、ユーザから印刷を行わない旨の指示を受けると、残りの枚数の印刷を前記印刷実行部に実行させず、前記保持部に保持された残りの印刷ジョブを削除する、
請求項２または３に記載のプリンタ。
【請求項６】
前記制御部は、
前記印刷ジョブが示す印刷枚数の所定期間における累積枚数が、前記枚数制限情報が示す印刷制限枚数を超えている場合、印刷制限枚数を超える、現在受信されている印刷ジョブが示す枚数の印刷を行うか否かを前記表示部に表示させ、ユーザから印刷を行う旨の指示を受けると、前記印刷制限枚数を超える、現在受信されている印刷ジョブが示す枚数の印刷を前記印刷実行部に実行させ、ユーザから印刷を行わない旨の指示を受けると、印刷制限枚数を超える、現在受信されている印刷ジョブが示す枚数の印刷を前記印刷実行部に実行させず、前記保持部に保持された印刷ジョブを削除する、
請求項２または３に記載のプリンタ。
【請求項７】
前記記録部に記録された枚数制限情報は更新可能である
請求項１から６のいずれか１項に記載のプリンタ。
【請求項８】
通信端末とネットワークを介して通信可能なプリンタであって、
前記通信端末から所定の送信機能により前記ネットワークを介して送信された印刷ジョブを受信するとともに、前記送信機能を識別する識別情報を受信する受信部と、
前記受信部により受信された前記印刷ジョブに従って印刷を実行する印刷実行部と、
所定期間当たりの前記印刷ジョブの印刷枚数の制限を示す枚数制限情報が、前記識別情報に対応付けて記録された記録部と、
前記送信機能において、前記受信部により受信された前記印刷ジョブが示す印刷枚数の所定期間における累積枚数が、前記記録部に記録された前記枚数制限情報が示す印刷制限枚数を超えているか否かを判定する判定部と、
前記判定部により前記枚数制限情報が示す印刷制限枚数を超えていると判定された場合、前記受信部により受信された前記印刷ジョブを消去する消去部と、
を備えるプリンタ。
【請求項９】
通信端末とネットワークを介して通信可能なプリンタであって、
報知部と、
前記通信端末から所定の送信機能により前記ネットワークを介して送信された印刷ジョブを受信するとともに、前記送信機能を識別する識別情報を受信する受信部と、
前記受信部により受信された前記印刷ジョブに従って印刷を実行する印刷実行部と、
所定期間当たりの前記印刷ジョブの印刷枚数の制限を示す枚数制限情報が、前記識別情報に対応付けて記録された記録部と、
前記送信機能において、前記受信部により受信された前記印刷ジョブが示す印刷枚数の所定期間における累積枚数が、前記記録部に記録された前記枚数制限情報が示す印刷制限枚数を超えているか否かを判定する判定部と、
前記判定部により前記枚数制限情報が示す印刷制限枚数を超えていると判定された場合、前記受信部により受信された前記印刷ジョブを保持部に保持させるとともに、当該印刷制限枚数を超えて印刷を行うか否かを前記報知部により報知させる制御部と、
を備えるプリンタ。 
【請求項１０】
前記報知部は、表示部を含み、
前記制御部は、
前記枚数制限情報が示す印刷制限枚数を超えて印刷を行うか否かを前記表示部に表示させる、
請求項９に記載のプリンタ。
【請求項１１】
前記制御部は、
前記枚数制限情報が示す印刷制限枚数を超えて印刷する場合、前記保持部に保持された前記印刷ジョブを読み出し、読み出した前記印刷ジョブの印刷を前記印刷実行部に実行させ、前記枚数制限情報が示す印刷制限枚数を超えて印刷しない場合、前記保持部に保持された前記印刷ジョブを削除する
請求項９または１０に記載のプリンタ。
【請求項１２】
前記制御部は、
前記印刷ジョブが示す印刷枚数の所定期間における累積枚数が、前記枚数制限情報が示す印刷制限枚数を超えている場合、当該印刷制限枚数の印刷を前記印刷実行部に実行させた後、残りの枚数の印刷を行うか否かを前記表示部に表示させ、ユーザから印刷を行う旨の指示を受けると、残りの枚数の印刷を前記印刷実行部に実行させ、ユーザから印刷を行わない旨の指示を受けると、残りの枚数の印刷を前記印刷実行部に実行させず、前記保持部に保持された残りの印刷ジョブを削除する、
請求項９または１０に記載のプリンタ。
【請求項１３】
前記制御部は、
前記印刷ジョブが示す印刷枚数の所定期間における累積枚数が、前記枚数制限情報が示す印刷制限枚数を超えている場合、印刷制限枚数を超える、現在受信されている印刷ジョブが示す枚数の印刷を行うか否かを前記表示部に表示させ、ユーザから印刷を行う旨の指示を受けると、前記印刷制限枚数を超える、現在受信されている印刷ジョブが示す枚数の印刷を前記印刷実行部に実行させ、ユーザから印刷を行わない旨の指示を受けると、印刷制限枚数を超える、現在受信されている印刷ジョブが示す枚数の印刷を前記印刷実行部に実行させず、前記保持部に保持された印刷ジョブを削除する、
請求項９または１０に記載のプリンタ。
【請求項１４】
前記記録部に記録された枚数制限情報は更新可能である
請求項８から１３のいずれか１項に記載のプリンタ。
【請求項１５】
前記判定部は、
予め設定しておいた通信端末から送信された印刷ジョブが示す印刷枚数は所定期間における累積枚数に含めない
請求項８から１４のいずれか１項に記載のプリンタ。
【請求項１６】
通信端末と、
前記通信端末と通信可能な請求項１から１５のいずれか１項に記載のプリンタと、
を備えたプリントシステム。
【発明の詳細な説明】
【技術分野】
【０００１】
本発明は、プリンタ及び当該プリンタを含むプリントシステムに関する。
【背景技術】
【０００２】
パーソナルコンピュータ（ＰＣ）やスマートフォン等から印刷データや印刷枚数情報を含む印刷ジョブを送信して、印刷ジョブの受信機能を有するプリンタに出力することができる。
この種のプリンタとして、印刷に必要な用紙の枚数や印刷に必要な時間をプリンタ単体で表示することができるプリンタが知られている（例えば、特許文献１参照）。
【０００３】
特許文献１に記載されたプリンタは、印刷対象の電子データを記憶する記憶部と、記憶部から順に呼び出す印刷対象の電子データに基づいて印刷部に印刷させる制御部と、印刷対象の電子データのうち印刷されていない電子データを印刷するのに必要な用紙の枚数を表示する表示部とを備える。
【先行技術文献】
【特許文献】
【０００４】
【特許文献１】特開２０００−１１８１０４号公報
【発明の概要】
【発明が解決しようとする課題】
【０００５】
ところが、上記したプリンタは、例えばプリンタの使用者（保有者）が意図しない印刷ジョブを繰り返し受信し、印刷指示を受けた場合に、印刷ジョブを削除したり、印刷を行うか否かの選択を行うことができず、意図しない枚数の印刷をせざるを得ないという不利益があった。
【０００６】
従って、意図しない迷惑な印刷を抑止できるプリンタ及びプリントシステムが提供されることが望まれる。
【課題を解決するための手段】
【０００７】
本発明の一態様に係るプリンタは、通信端末とネットワークを介して通信可能なプリンタであって、前記通信端末から前記ネットワークを介して送信された印刷ジョブを受信するとともに、前記通信端末を識別する識別情報を受信する受信部と、前記受信部により受信された前記印刷ジョブに従って印刷を実行する印刷実行部と、所定期間当たりの前記印刷ジョブの印刷枚数の制限を示す枚数制限情報が、前記識別情報に対応付けて記録された記録部と、前記通信端末において、前記受信部により受信された前記印刷ジョブが示す印刷枚数の所定期間における累積枚数が、前記記録部に記録された前記枚数制限情報が示す印刷制限枚数を超えているか否かを判定する判定部と、前記判定部により前記枚数制限情報が示す印刷制限枚数を超えていると判定された場合、前記受信部により受信された前記印刷ジョブを消去する消去部と、を備える。
【０００８】
また、本発明の一態様に係るプリンタは、通信端末とネットワークを介して通信可能なプリンタであって、報知部と、前記通信端末から前記ネットワークを介して送信された印刷ジョブを受信するとともに、前記通信端末を識別する識別情報を受信する受信部と、前記受信部により受信された前記印刷ジョブに従って印刷を実行する印刷実行部と、所定期間当たりの前記印刷ジョブの印刷枚数の制限を示す枚数制限情報が、前記識別情報に対応付けて記録された記録部と、前記通信端末において、前記受信部により受信された前記印刷ジョブが示す印刷枚数の所定期間における累積枚数が、前記記録部に記録された前記枚数制限情報が示す印刷制限枚数を超えているか否かを判定する判定部と、前記判定部により前記枚数制限情報が示す印刷制限枚数を超えていると判定された場合、前記受信部により受信された前記印刷ジョブを保持部に保持させるとともに、当該印刷制限枚数を超えて印刷を行うか否かを前記報知部により報知させる制御部と、を備える。 
【０００９】
また、本発明の一態様に係るプリンタは、通信端末とネットワークを介して通信可能なプリンタであって、前記通信端末から所定の送信機能により前記ネットワークを介して送信された印刷ジョブを受信するとともに、前記送信機能を識別する識別情報を受信する受信部と、前記受信部により受信された前記印刷ジョブに従って印刷を実行する印刷実行部と、所定期間当たりの前記印刷ジョブの印刷枚数の制限を示す枚数制限情報が、前記識別情報に対応付けて記録された記録部と、前記送信機能において、前記受信部により受信された前記印刷ジョブが示す印刷枚数の所定期間における累積枚数が、前記記録部に記録された前記枚数制限情報が示す印刷制限枚数を超えているか否かを判定する判定部と、前記判定部により前記枚数制限情報が示す印刷制限枚数を超えていると判定された場合、前記受信部により受信された前記印刷ジョブを消去する消去部と、を備える。
【００１０】
また、本発明の一態様に係るプリンタは、通信端末とネットワークを介して通信可能なプリンタであって、報知部と、前記通信端末から所定の送信機能により前記ネットワークを介して送信された印刷ジョブを受信するとともに、前記送信機能を識別する識別情報を受信する受信部と、前記受信部により受信された前記印刷ジョブに従って印刷を実行する印刷実行部と、所定期間当たりの前記印刷ジョブの印刷枚数の制限を示す枚数制限情報が、前記識別情報に対応付けて記録された記録部と、前記送信機能において、前記受信部により受信された前記印刷ジョブが示す印刷枚数の所定期間における累積枚数が、前記記録部に記録された前記枚数制限情報が示す印刷制限枚数を超えているか否かを判定する判定部と、前記判定部により前記枚数制限情報が示す印刷制限枚数を超えていると判定された場合、前記受信部により受信された前記印刷ジョブを保持部に保持させるとともに、当該印刷制限枚数を超えて印刷を行うか否かを前記報知部により報知させる制御部と、を備える。
【００１１】
また、本発明の一態様に係るプリントシステムは、通信端末と、前記通信端末と通信可能な上記のプリンタと、を備えている。
【発明の効果】
【００１２】
上記の構成によれば、意図しない迷惑な印刷を抑止することができる。
【図面の簡単な説明】
【００１３】
【図１】本発明の第１の実施形態に係る印刷ジョブのプリントシステムの基本的な構成を示す図である。
【図２】第１及び第２の実施形態に係る制御処理であって、所定期間における同じ通信端末からの印刷ジョブが示す印刷枚数の累積枚数に対して印刷制限枚数を設定して印刷を制御する処理を説明するための図である。
【図３】本第１の実施形態に係るプリンタの要部の構成例を示すブロック図である。
【図４】本実勢形態に係る記録部において所定期間当たりの印刷ジョブの印刷枚数の制限を示す枚数制限情報である印刷制限枚数が通信端末を識別する識別情報に対応付けて記録されている一例を示す図である。
【図５】本第１の実施形態に係るプリンタの動作を説明するためのフローチャートである。
【図６】本第２の実施形態に係るプリンタの要部の構成例を示すブロック図である。
【図７】報知部としての表示部の表示画面に、「印刷制限枚数を超えて印刷を行いますか」、「残りの枚数の印刷を行いますか」とのメッセージを表示させる例を示す図である。
【図８】本第２の実施形態に係るプリンタの第１印刷モード時の動作を説明するためのフローチャートである。
【図９】本第２の実施形態に係るプリンタの第２印刷モード時の動作を説明するためのフローチャートである。
【図１０】第３及び第４の実施形態に係る制御処理であって、所定期間における送信機能毎の印刷ジョブが示す印刷枚数の累積枚数に対して印刷制限枚数を設定して印刷を制御する処理を説明するための図である。
【図１１】本第３の実施形態に係るプリンタの要部の構成例を示すブロック図である。
【図１２】本第４の実施形態に係るプリンタの要部の構成例を示すブロック図である。
【発明を実施するための形態】
【００１４】
以下、本発明の実施形態を図面に関連付けて説明する。
【００１５】
（第１の実施形態）
図１は、本発明の第１の実施形態に係る印刷ジョブのプリントシステムの基本的な構成を示す図である。
【００１６】
図１の印刷ジョブプリントシステム１は、ネットワーク３、ネットワーク３に印刷ジョブ（ＦＡＸ情報等を含む）を送信する機能を有する通信端末（送信側装置）５、ネットワーク３で中継された印刷ジョブＰＪＢを受信するとともに、当該通信端末５を識別する識別情報ＩＤＴを受信する受信装置としてのプリンタ９を含んで構成されている。
また、ネットワーク３には、送信された情報を一旦蓄積して後で宛先のＦＡＸ機能を備えた受信装置（プリンタ９）に送信する蓄積交換装置や、例えばインターネット接続に対応したサーバ等の管理装置７が接続される。
【００１７】
ネットワーク３としては、本実施形態では特に限定されず、公衆交換電話網や、ＩＰ電話、ＬＡＮ（Local Area Network）、インターネット、イーサネット（富士ゼロックス株式会社の登録商標）などの電話交換機を介さないＩＰ通信網であっても良いし、広義にはパーソナルコンピュータ（ＰＣ）に直接接続されるＵＳＢ（Universal Serial Bus）ケーブルであっても良い。ネットワーク３の一部または全部は有線であっても良いし、無線であっても良い。
【００１８】
本実施形態において、プリンタ９が受信する印刷ジョブＰＪＢの印刷対象情報にはＦＡＸ情報が含まれても良いものとする。
プリンタ９に対して印刷ジョブを送信する送信機能としては、インターネット対応のメールプリント機能、電話回線対応のＦＡＸ，ネットワークで共有設定されるネットワークプリンタ、スマートフォンからの直接印刷を実現する無線ＬＡＮ対応のＷｉｆｉダイレクト、パーソナルコンピュータ（ＰＣ）に直接接続されるＵＳＢ等を例示することができる。
【００１９】
メールプリント機能は、パーソナルコンピュータ（ＰＣ）、携帯電話機、スマートフォンなど、メールが送信できる通信端末５からメールアドレスを持つプリンタ９へ電子メールを送信するだけで、本文や添付ファイルが印刷できる機能である。メールプリント機能には特別なアプリケーションを必要としない。
メールプリントシステムでは、電子メールを受信し、受信した情報に基づく印刷を、ネットワーク３を介してプリンタ９に指示する管理装置７であるプリントサーバが配置される。
【００２０】
また、通常のＦＡＸ情報の送受信を行う場合、送信側装置である通信端末５側で送信すべき情報（原稿等）を読み取り、データ圧縮や変調等の信号処理を施し、入力して特定した宛先（電話番号等）にネットワーク３で中継し、受信側のプリンタ９で信号を復調し原稿を復元して印刷する。
【００２１】
また、通信端末（送信側装置）５は、例えば、インターネットを通してＦＡＸ情報を送信（例えばＦＡＸ情報を電子メールに添付して送信）するインターネットＦＡＸ端末としての機能を有するように構成可能である。
また、通信端末（送信側装置）５は、印刷ジョブの送信機能だけでなく受信機能を持つ通信端末として構成可能であり、また、プリンタ９は印刷ジョブ等の受信機能だけでなく所定の情報の送信機能を持つように構成可能である。
【００２２】
本実施形態において、通信端末５が所定の送信機能ＴＭＦにより印刷ジョブＰＪＢをプリンタ９に送信するが、この印刷ジョブＰＪＢの送信とともに、印刷ジョブＰＪＢを送信した通信端末５を識別することができる識別情報ＩＤＴが送信され、ネットワーク３で中継されてプリンタ９で印刷ジョブＰＪＢとともに受信される。
【００２３】
本第１の実施形態におけるプリンタ９の特徴的な構成は、図２の概念図に示すように、所定期間ＴＰＰにおける、同じ通信端末５−ａからの印刷ジョブＰＪＢが示す印刷枚数ＮＢＰＪの累積枚数ＡＣＮに対して印刷制限枚数ＰＲＣを設定し、同じ通信端末５−ａからの印刷ジョブＰＪＢが示す印刷枚数ＮＢＰＪの累積枚数ＡＣＮが印刷制限枚数ＰＲＣを超えている場合、受信した印刷ジョブＰＢＪを消去（削除という場合もある）することにある。
なお、第２の実施形態では、後述するように、同じ通信端末５−ａからの印刷ジョブＰＪＢが示す印刷枚数ＮＢＰＪの累積枚数ＡＣＮが印刷制限枚数ＰＲＣを超えている場合、受信した印刷ジョブを直ちに削除しないで、印刷制限枚数ＰＲＣを超えて印刷を行うか否かを表示部等を介して報知し、ユーザの指示に従い印刷を実行するかしないかを制御することにある。印刷制限枚数ＰＲＣを超えて印刷を行わない場合に受信した印刷ジョブＰＪＢを削除する。
【００２４】
図２の例では、所定期間ＴＰＰは、「１２時間」、「１日」、「１週間（７日）」等に適宜設定される。そして、印刷制限枚数ＰＲＣは、「１００枚」に適宜設定される。
図２の例では、所定期間ＴＰＰ内に、同じ通信端末５−ａから小刻みに、印刷枚数ＮＢＰＪ１が１０枚の第１印刷ジョブＰＪＢ１、印刷枚数ＮＢＰＪ２が３０枚の第２印刷ジョブＰＪＢ２、印刷枚数ＮＢＰＪ３が２０枚の第３印刷ジョブＰＪＢ３、印刷枚数ＮＢＰＪ４が４０枚の第４印刷ジョブＰＪＢ４が送信されてきて、既に累積枚数ＡＣＮ，１００枚の印刷が行われている。
そしてさらに、所定期間ＴＰＰ内に，同じ通信端末５−ａから印刷枚数ＮＢＰＪ５が４０枚の第５印刷ジョブＰＪＢ５が送信されてきたが、この第５印刷ジョブＰＪＢ５を受信する以前に、第１〜第４印刷ジョブＰＪＢ１〜ＰＪＢ４の印刷の累積枚数ＡＣＮが印刷制限枚数ＰＲＣの１００枚に達していることから、第５印刷ジョブＰＪＢ５はその印刷が印刷制限枚数ＰＲＣの１００枚を超えることになる。
従って、本第１の実施形態においては、受信した第５印刷ジョブＰＪＢ５は削除されることになる。
【００２５】
なお、第２の実施形態においては、後述するように、受信した第５印刷ジョブＰＪＢ５を削除しないで、印刷制限枚数ＰＲＣを超えて印刷を行うか否かを表示部等を介して報知し、ユーザの指示に従い印刷を実行するかしないかが制御される。印刷制限枚数ＰＲＣを超えて印刷を行わない場合に受信した印刷ジョブが消去（削除）される。
【００２６】
プリンタ９は、以上の印刷制限枚数ＰＲＣに関連した制御を行うことにより、例えばプリンタの使用者（保有者）が意図しない印刷ジョブを繰り返し受信し、印刷指示を受けた場合に、印刷ジョブを削除したり、印刷を行うか否かの選択を行うことができ、意図しない枚数の印刷を抑止することができるという利点を有する。
【００２７】
なお、意図しない場合の例としては、例えば、同じパーソナルコンピュータ（ＰＣ）あるいは同じＦＡＸ装置から繰り返し小刻みに迷惑ＦＡＸを送信してくる場合や、メールプリントシステムにおける同じ通信端末が、繰り返し小刻みに迷惑印刷を指示してくる場合等が挙げられる。
【００２８】
以下、本第１の実施形態に係るプリンタ９の具体的な構成及び印刷制限枚数に関連した制御処理について説明する。
【００２９】
図３は、本第１の実施形態に係るプリンタ９の要部の構成例を示すブロック図である。
【００３０】
図３のプリンタ９は、受信部９０１、印刷実行部９０２、記録部９０３、判定部９０４、消去部９０５、更新部９０６、及び操作部９０７を含んで構成されている。
【００３１】
受信部９０１は、所定の送信機能ＴＭＦにより送信され、ネットワーク３を中継された印刷ジョブＰＪＢを受信するとともに、通信端末５を識別する識別情報ＩＤＴを受信する。受信部９０１は、受信した印刷ジョブを復元し、印刷枚数に関する情報等を含む印刷ジョブを、例えば、判定部９０４、印刷実行部９０２に供給する。例えば、判定部９０４、印刷実行部９０２は、供給された印刷ジョブ情報をメモリ等の記憶部（Ｍ）に記憶する。
【００３２】
印刷実行部９０２は、受信部９０１により受信された印刷ジョブに従って印刷を実行する。
印刷実行部９０２は、例えば、一般的なプリンタにおいて構築されているものと同様でよい。印刷実行部９０２は、例えば、印刷情報（印刷データ）に基づいて、プリントヘッドのアクチュエータ及び紙送り機構のアクチュエータに対して適宜なタイミング及び適宜な大きさで電圧を印加する。
【００３３】
記録部９０３は、所定期間ＴＰＰ当たりの印刷ジョブの印刷枚数の制限を示す枚数制限情報である印刷制限枚数ＰＲＣが、図４に示すように、通信端末５を識別する識別情報ＩＤＴに対応付けて記録されている。
すなわち、記録部９０３には、所定期間ＴＰＰにおける、同じ通信端末５−ａ，５−ｃからの印刷ジョブＰＪＢが示す印刷枚数ＮＢＰＪの累積枚数ＡＣＮに対して設定された印刷制限枚数ＰＲＣが識別情報ＩＤＴに対応付けて記録されている。
図４の例では、通信端末５−ａには１００枚の印刷制限枚数ＰＲＣが設定され、通信端末５−ｂには印刷制限枚数ＰＲＣは設定されておらず、通信端末５−ｃには５０枚の印刷制限枚数ＰＲＣが設定されている。
【００３４】
記録部９０３は、例えば電源を切っても情報が保持されるように、フラッシュメモリ等の不揮発性記憶装置により構成される。
なお、記録部９０３の記録情報は、例えばキー入力部やタッチパネル等により構成される操作部９０７の操作指示に従って、更新部９０６により適宜更新可能である。すなわち、記録部９０３に記録された枚数制限情報である印刷制限枚数ＰＲＣは、更新部９０６により適宜更新可能である。
また、更新は無線通信を介してスマートフォン等の通信端末で行ってもよいし、インターネットを介してパーソナルコンピュータ（ＰＣ）から行ってもよい。通信端末あるいはパーソナルコンピュータ（ＰＣ）からの更新の指示を更新部９０６が受け付け、更新部９０６によって記録部９０３に記録された記録情報が更新される。
【００３５】
判定部９０４は、印刷ジョブＰＪＢとともに受信した、通信端末５の識別情報ＩＤＴを把握し、通信端末５において、受信部９０１により受信された印刷ジョブが示す印刷枚数ＮＢＰＪの所定期間ＴＰＰにおける累積枚数ＡＣＮを取得する機能を有する。
そして、判定部９０４は、印刷ジョブＰＪＢとともに受信した、通信端末５の識別情報ＩＤＴを把握し、通信端末５において、受信部９０１により受信された印刷ジョブが示す印刷枚数ＮＢＰＪの所定期間ＴＰＰにおける累積枚数ＡＣＮが、記録部９０３に記録された枚数制限情報が示す印刷制限枚数ＰＲＣを超えているか否かを判定する。
判定部９０４は、この判定結果を消去部９０５に供給する。
【００３６】
消去部９０５は、判定部９０４により受信された印刷ジョブが示す印刷枚数ＮＢＰＪの所定期間ＴＰＰにおける累積枚数ＡＣＮが、枚数制限情報が示す印刷制限枚数ＰＲＣを超えていると判定された場合、受信部９０１により受信された印刷ジョブＰＪＢを消去する。具体的には、消去部９０５は、印刷実行部９０２の記憶部Ｍ１に記憶されていた印刷ジョブＰＪＢを消去する。
従って、この場合、印刷実行部９０２は、該当する印刷ジョブＰＪＢに従った印刷を実行しない。
なお、判定部９０４は、受信部９０１が印刷ジョブＰＪＢを受信する前に、通信端末５の識別情報ＩＤＴを把握して、識別情報ＩＤＴに対する所定期間ＴＰＰにおける累積枚数ＡＣＮが、枚数制限情報が示す印刷制限枚数ＰＲＣに達しているかどうかを判定してもよい。そして、識別情報ＩＤＴを把握した時点で、既に印刷制限枚数ＰＲＣに達していた場合は、受信部９０１は、印刷ジョブＰＪＢを受信しなくてもよい。
消去部９０５は、判定部９０４により受信された印刷ジョブが示す印刷枚数ＮＢＰＪの所定期間ＴＰＰにおける累積枚数ＡＣＮが、枚数制限情報が示す印刷制限枚数ＰＲＣを超えていないと判定された場合、受信部９０１により受信された印刷ジョブＰＪＢを消去しない。具体的には、消去部９０５は、印刷実行部９０２の記憶部Ｍ１に記憶されていた印刷ジョブＰＪＢを消去しない。
従って、この場合、印刷実行部９０２は、該当する印刷ジョブＰＪＢに従った印刷を実行するように構成することが可能である。
【００３７】
操作部９０７は、例えば、複数の物理的なキーを有するものであっても良いし、タッチパネルのように表示部のＧＵＩ（Graphical User Interface）と組み合わされたものであってもよい
【００３８】
次に、図２の構成を有するプリンタ９の動作について図５に関連付けて説明する。
図５は、本第１の実施形態に係るプリンタの動作を説明するためのフローチャートである。
【００３９】
まず、プリンタ９は、ネットワーク３で中継された印刷ジョブを、受信部９０１により受信するとともに（ステップＳＴ１）、通信端末５を識別する識別情報ＩＤＴを受信する（ステップＳＴ２）。
受信部９０１は、受信した印刷ジョブを復元し、印刷枚数に関する情報等を含む印刷ジョブを、例えば、判定部９０４、印刷実行部９０２に供給する。例えば、判定部９０４、印刷実行部９０２は、供給された印刷ジョブをメモリ等の記憶部（Ｍ）に記憶する。
【００４０】
判定部９０４は、受信した印刷ジョブが示す印刷枚数ＮＢＰＪ及び識別情報ＩＤＴを把握する（ステップＳＴ３）。
そして、判定部９０４が、通信端末５において、受信部９０１により受信された印刷ジョブが示す印刷枚数ＮＢＰＪの所定期間ＴＰＰにおける累積枚数ＡＣＮが、記録部９０３に記録された枚数制限情報が示す印刷制限枚数ＰＲＣを超えているか否かを判定する（ステップＳＴ４）。
判定部９０４は、この判定結果を消去部９０５に供給する。
【００４１】
消去部９０５は、判定部９０４により枚数制限情報が示す印刷制限枚数ＰＲＣを超えていると判定された場合、受信部９０１により受信され、例えば印刷実行部９０２の記憶部Ｍ１に記憶されていた印刷ジョブＰＪＢを消去する（ステップＳＴ５）。
従って、この場合、印刷実行部９０２は、該当する印刷ジョブＰＪＢに従った印刷を実行しない。
一方、消去部９０５は、判定部９０４により枚数制限情報が示す印刷制限枚数ＰＲＣを超えていないと判定された場合、受信部９０１により受信され、例えば印刷実行部９０２の記憶部Ｍ１に記憶されていた印刷ジョブＰＪＢを消去しない。
従って、この場合、印刷実行部９０２は、該当する印刷ジョブＰＪＢに従った印刷を実行する（ステップＳＴ６）。
【００４２】
以上説明したように、本第１の実施形態によれば、通信端末５とネットワーク３を介して通信可能なプリンタ９は、通信端末５からネットワーク３を介して送信された印刷ジョブＰＪＢを受信するとともに、通信端末５を識別する識別情報ＩＤＴを受信する受信部９０１と、受信部９０１により受信された印刷ジョブに従って印刷を実行する印刷実行部９０２と、所定期間ＴＰＰ当たりの印刷ジョブの印刷枚数の制限を示す枚数制限情報が、識別情報に対応付けて記録された記録部９０３と、通信端末５において、受信部９０１により受信された印刷ジョブが示す印刷枚数の所定期間ＴＰＰにおける累積枚数ＡＣＮが、記録部９０３に記録された枚数制限情報が示す印刷制限枚数ＰＲＣを超えているか否かを判定する判定部９０４と、判定部９０４により枚数制限情報が示す印刷制限枚数ＰＲＣを超えていると判定された場合、受信部９０１により受信された印刷ジョブを消去する消去部９０５と、を備える。
【００４３】
従って、本実施形態によれば、プリンタ９は、上述した印刷制限枚数に関連した制御を行うことにより、例えばプリンタの使用者（保有者）が意図しない印刷ジョブを繰り返し受信し、印刷指示を受けた場合に、印刷ジョブを削除することができる。このため、意図しない枚数の印刷を抑止することができるという利点を有する。
【００４４】
（第２の実施形態）
次に、本発明の第２の実施形態について説明する。
本第２の実施形態が上述した第１の実施形態と異なる点は以下の通りである。
上述した第１の実施形態においては、所定期間ＴＰＰにおける、同じ通信端末５−ａからの印刷ジョブが示す印刷枚数ＮＢＰＪの累積枚数ＡＣＮに対して印刷制限枚数ＰＲＣを設定し、同じ通信端末５からの印刷ジョブが示す印刷枚数ＮＢＰＪの累積枚数ＡＣＮが印刷制限枚数ＰＲＣを超えている場合、受信した印刷ジョブを削除する。
これに対して、第２の実施形態においては、所定期間ＴＰＰにおける、同じ通信端末５からの印刷ジョブが示す印刷枚数ＮＢＰＪの累積枚数ＡＣＮが印刷制限枚数ＰＲＣを超えている場合、受信した印刷ジョブを直ちに削除（消去）しないで、印刷制限枚数ＰＲＣを超えて印刷を行うか否かを表示部等を介して報知し、ユーザの指示に従い印刷を実行するかしないかを制御する。印刷制限枚数ＰＲＣを超えて印刷を行わない場合に受信した印刷ジョブＰＪＢを削除する。
【００４５】
このように、本第２の実施形態では、プリンタが所定期間ＴＰＰにおける、同じ通信端末５からの印刷ジョブが示す印刷枚数ＮＢＰＪの累積枚数ＡＣＮが印刷制限枚数ＰＲＣを超えている場合、印刷制限枚数ＰＲＣを超えて印刷を行うか否かを表示部等を介して報知し、ユーザの指示に従い印刷を実行するかしないかを制御する。
この基本構成は、印刷データを受信した後に印刷を開始する場合である。この場合、例えば後で詳述する第１印刷モードまたは第２印刷モードの下で動作する。
【００４６】
以下、本第２の実施形態に係るプリンタ９Ａの具体的な構成及び印刷制限枚数に関連した制御処理について説明する。
【００４７】
図６は、本第２の実施形態に係るプリンタ９Ａの要部の構成例を示すブロック図である。
【００４８】
図６のプリンタ９Ａは、受信部９１１、印刷実行部９１２、記録部９１３、判定部９１４、制御部９１５、報知部９１６、保持部９１７、更新部９１８、印刷枚数係数部９１９、及び操作部９２０を含んで構成されている。
【００４９】
受信部９１１は、所定の送信機能ＴＭＦにより送信され、ネットワーク３を中継された印刷ジョブＰＪＢを受信するとともに、通信端末５を識別する識別情報ＩＤＴを受信する。受信部９１１は、受信した印刷ジョブを復元し、印刷枚数に関する情報等を含む印刷ジョブを、例えば判定部９１４、制御部９１５、印刷実行部９１２に供給する。
【００５０】
印刷実行部９１２は、受信部９１１により受信された印刷ジョブに従って印刷を実行する。
印刷実行部９１２は、例えば、一般的なプリンタにおいて構築されているものと同様でよい。印刷実行部９１２は、例えば、印刷情報（印刷データ）に基づいて、プリントヘッドのアクチュエータ及び紙送り機構のアクチュエータに対して適宜なタイミング及び適宜な大きさで電圧を印加する。
【００５１】
記録部９１３は、所定期間ＴＰＰ当たりの印刷ジョブの印刷枚数の制限を示す枚数制限情報である印刷制限枚数ＰＲＣが、図４に示すように、通信端末５を識別する識別情報ＩＤＴに対応付けて記録されている。
すなわち、記録部９１３には、所定期間ＴＰＰにおける、同じ通信端末５−ａ，５−ｃからの印刷ジョブＰＪＢが示す印刷枚数ＮＢＰＪの累積枚数ＡＣＮに対して設定された印刷制限枚数ＰＲＣが識別情報ＩＤＴに対応付けて記録されている。
図４の例では、既に説明したように、通信端末５−ａには１００枚の印刷制限枚数ＰＲＣが設定され、通信端末５−ｂには印刷制限枚数ＰＲＣは設定されておらず、通信端末５−ｃには５０枚の印刷制限枚数ＰＲＣが設定されている。
【００５２】
記録部９１３は、例えば電源を切っても情報が保持されるように、フラッシュメモリ等の不揮発性記憶装置により構成される。
なお、記録部９１３の記録情報は、例えばキー入力部やタッチパネル等により構成される操作部９２０の操作指示に従って、更新部９１８により適宜更新可能である。すなわち、記録部９１３に記録された枚数制限情報である印刷制限枚数ＰＲＣは、更新部９１８により適宜更新可能である。
また、更新は無線通信を介してスマートフォン等の通信端末で行ってもよいし、インターネットを介してパーソナルコンピュータ（ＰＣ）から行ってもよい。通信端末あるいはパーソナルコンピュータ（ＰＣ）からの更新の指示を更新部９１８が受け付け、更新部９１８によって記録部９１３に記録された記録情報が更新される。
【００５３】
判定部９１４は、印刷ジョブＰＪＢとともに受信した、通信端末５の識別情報ＩＤＴを把握し、通信端末５において、受信部９１１により受信された印刷ジョブが示す印刷枚数ＮＢＰＪの所定期間ＴＰＰにおける累積枚数ＡＣＮを取得する機能を有する。
そして、判定部９１４は、印刷ジョブＰＪＢとともに受信した、通信端末５の識別情報ＩＤＴを把握し、通信端末５において、受信部９１１により受信された印刷ジョブが示す印刷枚数ＮＢＰＪの所定期間ＴＰＰにおける累積枚数ＡＣＮが、記録部９１３に記録された枚数制限情報が示す印刷制限枚数ＰＲＣを超えているか否かを判定する。
判定部９１４は、この判定結果を制御部９１５に供給する。
【００５４】
なお、本実施形態において、判定部９１４は、予め設定しておいた通信端末５から送信された印刷ジョブが示す印刷枚数は所定期間ＴＰＰにおける累積枚数ＡＣＮに含めないように構成することも可能である。
これにより、特定のユーザの利便性を高めることが可能となっている。
【００５５】
制御部９１５は、通信端末５において、受信部９１１により受信された印刷ジョブが示す印刷枚数ＮＢＰＪの所定期間ＴＰＰにおける累積枚数ＡＣＮが、記録部９１３に記録された枚数制限情報が示す印刷制限枚数ＰＲＣを超えていると判定された場合、受信部９１１により受信された印刷ジョブＰＪＢを保持部９１７に保持させるとともに、印刷制限枚数ＰＲＣを超えて印刷を行うか否かを報知部９１６により報知させる。
報知部９１６は、特に限定されないが、例えば、メッセージ等を表示して報知する液晶表示装置、有機ＥＬ表示装置等の表示部、点滅等させて報知するＬＥＤ等の表示器、音声合成による音声出力部等のいずれか、あるいはこれらを組み合わせて構成可能である。
【００５６】
制御部９１５は、例えば、報知部９１６が表示部９１６Ａにより構成されている場合、通信端末５において、受信部９１１により受信された印刷ジョブが示す印刷枚数ＮＢＰＪの所定期間ＴＰＰにおける累積枚数ＡＣＮが、記録部９１３に記録された枚数制限情報が示す印刷制限枚数ＰＲＣを超えていると判定されると、印刷制限枚数ＰＲＣを超えて印刷を行うか否かを表示部９１６Ａに表示させる。
この場合、制御部９１５は、図７（ａ）に示すように、液晶表示装置等の表示部９１６Ａの表示画面に、例えば「印刷制限枚数を超えて印刷を行いますか」とのメッセージを表示させ、印刷制限枚数ＰＲＣを超えての印刷の可否をユーザに問い合わせる。
【００５７】
印刷制限枚数ＰＲＣを超えての印刷の可否は、例えばユーザの操作部９２０の操作指示に従って決定される。
【００５８】
制御部９１５は、印刷制限枚数ＰＲＣを超えて印刷する場合、保持部９１７に保持された印刷ジョブＰＪＢを読み出し、読み出した印刷ジョブの印刷を印刷実行部９１２に実行させる。
制御部９１５は、印刷制限枚数ＰＲＣを超えて印刷しない場合、保持部９１７に保持された印刷ジョブを削除（消去）する。
判定部９１４は、受信部９１１が通信端末５の識別情報ＩＤＴを把握した段階で、識別情報ＩＤＴに対応する所定期間ＴＰＰにおける累積枚数ＡＣＮが、記録部９１３に記録された枚数制限情報が示す印刷制限枚数ＰＲＣに達していた場合には、印刷ジョブＰＪＢの内容を調べずに、印刷制限枚数ＰＲＣを超えると判定してもよい。また、この判定結果を供給された制御部９１５は、受信部９１１が印刷ジョブＰＪＢの受信を始めるのを止めたり、あるいは受信部９１１による受信中の印刷ジョブＰＪＢの受信を止めてもよい。そのようにすれば、印刷ジョブＰＪＢを受信中であることにより、他の印刷ジョブＰＪＢの受信ができなかったり、他の印刷ジョブＰＪＢの受信が遅れる可能性を低くできる。
【００５９】
制御部９１５は、印刷ジョブＰＪＢが示す印刷枚数ＮＢＰＪの所定期間における累積枚数ＡＣＮが、記録部９１３に記録された枚数制限情報が示す印刷制限枚数ＰＲＣを超えている場合、以下に示す第１印刷モードまたは第２印刷モードの制御を行うように構成（設定）可能である。
【００６０】
制御部９１５は、第１印刷モードの場合、印刷制限枚数ＰＲＣの印刷を印刷実行部９１２に実行させた後、残りの枚数の印刷を行うか否かを表示部９１６Ａに表示させる。
この場合、制御部９１５は、図７（ｂ）に示すように、表示部９１６Ａの表示画面に、「残りの枚数の印刷を行いますか」とのメッセージを表示させ、印刷制限枚数ＰＲＣを超えての印刷の可否をユーザに問い合わせる。
そして、制御部９１５は、ユーザから印刷を行う旨の指示を受けると、残りの枚数の印刷を印刷実行部９１２に実行させる。
制御部９１５は、ユーザから印刷を行わない旨の指示を受けると、残りの枚数の印刷を印刷実行部９１２に実行させない。この場合、保持部９１７に保持された残りの印刷ジョブは削除する。
【００６１】
より具体的には、制御部９１５は、第１印刷モードにおいて、例えば、印刷制限枚数ＰＲＣが１５０枚であり、印刷ジョブが２００枚であった場合、先ず１５０枚の印刷を行った後に、残り５０枚の印刷を行うか否かを表示部に表示させ、ユーザがＯＫの指示を出した場合に、残り５０枚の印刷を実行する。ユーザがＮＯの指示を出した場合、残り５０枚の印刷は実行しない。
制御部９１５は、ユーザがＮＯの指示を出した場合、残り５０枚の印刷ジョブは削除する。
【００６２】
制御部９１５は、第２印刷モードの場合、印刷制限枚数ＰＲＣを超える、現在受信されている印刷ジョブが示す枚数の印刷を行うか否かを表示部９１６Ａに表示させる。
そして、制御部９１５は、ユーザから印刷を行う旨の指示を受けると、印刷制限枚数ＰＲＣを超える、現在受信されている印刷ジョブが示す枚数の印刷を印刷実行部９１２に実行させる。
制御部９１５は、ユーザから印刷を行わない旨の指示を受けると、印刷制限枚数ＰＲＣを超える、現在受信されている印刷ジョブが示す枚数の印刷を印刷実行部９０２に実行させない。この場合、保持部９１７に保持された印刷ジョブは削除する。
【００６３】
より具体的には、制御部９１５は、第２印刷モードにおいて、例えば、印刷制限枚数ＰＲＣが１５０枚であり、印刷ジョブが２００枚であった場合、印刷を行う前に、２００枚の印刷を行うか否かを表示部に表示させ、ユーザがＯＫの指示を出した場合に、２００枚の印刷を実行する。ユーザがＮＯの指示を出した場合、２００枚の印刷は実行しない。
制御部９１５は、ユーザがＮＯの指示を出した場合、印刷ジョブを削除する。
【００６４】
なお、第１印刷モードで動作するか、第２印刷モードで動作するか、例えば操作部９２０の操作指示に従って設定される。あるいは、無線通信を介してスマートフォン等の通信端末で行っても良いし、インターネットを介してパーソナルコンピュータ（ＰＣ）から行っても良い。
【００６５】
操作部９２０、例えば、複数の物理的なキーを有するものであっても良いし、タッチパネルのように表示部のＧＵＩ（Graphical User Interface）と組み合わされたものであってもよい
【００６６】
次に、図６の構成を有するプリンタ９Ａの動作を説明する。
以下では、第１印刷モード、及び第２印刷モードの２つの動作例について説明する。
【００６７】
（第１印刷モードの動作）
まず、第１印刷モードの動作について図８に関連付けて説明する。
図８は、本第２の実施形態に係るプリンタの第１印刷モード時の動作を説明するためのフローチャートである。
【００６８】
まず、プリンタ９Ａは、ネットワーク３で中継された印刷ジョブを、受信部９１１により受信するとともに（ステップＳＴ１１）、通信端末５を識別する識別情報ＩＤＴを受信する（ステップＳＴ１２）。
受信部９１１は、受信した印刷ジョブを復元し、印刷枚数に関する情報等を含む印刷ジョブを、例えば判定部９１４、制御部９１５、印刷実行部９１２に供給する。
【００６９】
判定部９１４は、受信した印刷ジョブが示す印刷枚数ＮＢＰＪ及び識別情報ＩＤＴを把握する（ステップＳＴ１３）。
そして、判定部９１４が、通信端末５において、受信部９１１により受信された印刷ジョブが示す印刷枚数ＮＢＰＪの所定期間ＴＰＰにおける累積枚数ＡＣＮが、記録部９１３に記録された枚数制限情報が示す印刷制限枚数ＰＲＣを超えているか否かを判定する（ステップＳＴ１４）。
判定部９１４は、この判定結果を制御部９１５に供給する。
【００７０】
そして、制御部９１５は、印刷制限枚数ＰＲＣの印刷を印刷実行部９０２に実行させる（ステップＳＴ１５）。その後、制御部９１５は、印刷制限枚数ＰＲＣの印刷が終了すると（ステップＳＴ１６）、残りの枚数の印刷を行うか否かを表示部９１６Ａに表示させる（ステップＳＴ１７）。
この場合、制御部９１５は、図７（ｂ）に示すように、表示部９１６Ａの表示画面に、「残りの枚数の印刷を行いますか」とのメッセージを表示させ、印刷制限枚数ＰＲＣを超えての印刷の可否をユーザに問い合わせる。
【００７１】
そして、制御部９１５は、ユーザから印刷を行う旨の指示を受けると（ステップＳＴ１８）、残りの枚数の印刷を印刷実行部９１２に実行させる（ステップＳＴ１９）。
一方、制御部９１５は、ステップＳＴ１８においてユーザから印刷を行わない旨の指示を受けると、残りの枚数の印刷を印刷実行部９１２に実行させない。この場合、残りの印刷ジョブは削除する（ステップＳＴ２０）。
【００７２】
（第２印刷モードの動作）
次に、第２印刷モードの動作について図９に関連付けて説明する。
図９は、本第２の実施形態に係るプリンタの第２印刷モード時の動作を説明するためのフローチャートである。
【００７３】
まず、プリンタ９Ａは、ネットワーク３で中継された印刷ジョブを、受信部９１１により受信するとともに（ステップＳＴ２１）、通信端末５を識別する識別情報ＩＤＴを受信する（ステップＳＴ２２）。
受信部９１１は、受信した印刷ジョブを復元し、印刷枚数に関する情報等を含む印刷ジョブを、例えば判定部９１４、制御部９１５、印刷実行部９１２に供給する。
【００７４】
判定部９１４は、受信した印刷ジョブが示す印刷枚数ＮＢＰＪ及び識別情報ＩＤＴを把握する（ステップＳＴ２３）。
そして、判定部９１４が、通信端末５において、受信部９１１により受信された印刷ジョブが示す印刷枚数ＮＢＰＪの所定期間ＴＰＰにおける累積枚数ＡＣＮが、記録部９０３に記録された枚数制限情報が示す印刷制限枚数ＰＲＣを超えているか否かを判定する（ステップＳＴ２４）。
判定部９１４は、この判定結果を制御部９１５に供給する。
【００７５】
制御部９１５は、通信端末５において、受信部９１１により受信された印刷ジョブが示す印刷枚数ＮＢＰＪの所定期間ＴＰＰにおける累積枚数ＡＣＮが、記録部９１３に記録された枚数制限情報が示す印刷制限枚数ＰＲＣを超えていると判定されると、印刷制限枚数ＰＲＣを超えて印刷を行うか否かを表示部９０６Ａに表示させる（ステップＳＴ２５）。
この場合、制御部９１５は、図７（ａ）に示すように、表示部９１６Ａの表示画面に、例えば「印刷制限枚数を超えて印刷を行いますか」とのメッセージを表示させ、印刷制限枚数ＰＲＣを超えての印刷の可否をユーザに問い合わせる。
【００７６】
そして、制御部９１５は、ユーザから印刷を行う旨の指示を受けると（ステップＳＴ２６）、印刷制限枚数ＰＲＣを超える、現在受信されている印刷ジョブが示す枚数の印刷を印刷実行部９１２に実行させる（ステップＳＴ２７）。
一方、制御部９１５は、ステップＳＴ２６においてユーザから印刷を行わない旨の指示を受けると、印刷制限枚数ＰＲＣを超える、現在受信されている印刷ジョブが示す枚数の印刷を印刷実行部９１２に実行させない。この場合、印刷ジョブは削除する（ステップＳＴ２８）。
【００７７】
以上説明したように、本第２の実施形態によれば、通信端末５とネットワーク３を介して通信可能なプリンタ９Ａは、報知部９１６と、通信端末５からネットワーク３を介して送信された印刷ジョブＰＪＢを受信するとともに、通信端末５を識別する識別情報ＩＤＴを受信する受信部９１１と、受信部９１１により受信された印刷ジョブＰＪＢに従って印刷を実行する印刷実行部９１２と、所定期間ＴＰＰ当たりの印刷ジョブＰＪＢの印刷枚数の制限を示す枚数制限情報が、識別情報に対応付けて記録された記録部９１３と、通信端末５において、受信部９１１により受信された印刷ジョブＰＪＢが示す印刷枚数の所定期間ＴＰＰにおける累積枚数ＡＣＮが、記録部９１３に記録された枚数制限情報が示す印刷制限枚数ＰＲＣを超えているか否かを判定する判定部９１４と、判定部９１４により枚数制限情報が示す印刷制限枚数ＰＲＣを超えていると判定された場合、受信部９１１により受信された印刷ジョブを保持部９１７に保持させるとともに、印刷制限枚数ＰＲＣを超えて印刷を行うか否かを報知部９１６により報知させる制御部９１５と、を備える。
【００７８】
従って、本第２の実施形態によれば、プリンタ９Ａは、上述した印刷制限枚数に関連した制御を行うことにより、例えばプリンタの使用者（保有者）が意図しない印刷ジョブを繰り返し受信し、印刷指示を受けた場合に、印刷を行うか否かの選択を行うことができる。このため、意図しない枚数の印刷を抑止することができるという利点を有する。
【００７９】
また、本第２の実施形態によれば、報知部９１６は、表示部９１６Ａを含み、制御部９１５は、印刷制限枚数ＰＲＣを超えて印刷を行うか否かを表示部９１６Ａに表示させる。
これにより、ユーザは、印刷制限枚数ＰＲＣを超えて印刷を行うか否かを即応的に容易に決定することができ、現在の状況を確実に把握することができ、ひいてはユーザの利便性を高めることが可能となる。
【００８０】
また、本第２の実施形態によれば、制御部９１５は、印刷制限枚数ＰＲＣを超えて印刷する場合、保持部９１７に保持された印刷ジョブを読み出し、読み出した印刷ジョブの印刷を印刷実行部９１２に実行させる。また、制御部９１５は、印刷制限枚数ＰＲＣを超えて印刷しない場合、保持部９１７に保持された印刷ジョブを削除する。
これにより、意図しない印刷ジョブを繰り返し受信し、印刷指示を受けた場合に、印刷ジョブを削除したり、印刷を行うか否かの選択を行うことができる。
【００８１】
また、本第２の実施形態によれば、制御部９１５は、印刷ジョブが示す印刷枚数の所定期間ＴＰＰにおける累積枚数ＡＣＮが、記録部９１３に記録された枚数制限情報が示す印刷制限枚数ＰＲＣを超えている場合、印刷制限枚数ＰＲＣの印刷を印刷実行部９１２に実行させた後、残りの枚数の印刷を行うか否かを表示部９１６Ａに表示させ、ユーザから印刷を行う旨の指示を受けると、残りの枚数の印刷を印刷実行部９１２に実行させ、ユーザから印刷を行わない旨の指示を受けると、残りの枚数の印刷を印刷実行部９１２に実行させず、保持部９１７に保持された残りの印刷ジョブを削除する。
これにより、印刷制限枚数ＰＲＣを超える印刷ジョブが示す枚数の印刷はユーザの意図に従ってその実行を決定することができ、印刷ジョブを削除したり、意図しない印刷を行うか否かの選択を行うことができ、意図しない印刷を回避することができ、ひいては意図する印刷を行うことができる。
【００８２】
また、本第２の実施形態によれば、制御部９１５は、印刷ジョブが示す印刷枚数の所定期間ＴＰＰにおける累積枚数ＡＣＮが、記録部９１３に記録された枚数制限情報が示す印刷制限枚数ＰＲＣを超えている場合、印刷制限枚数ＰＲＣを超える、現在受信されている印刷ジョブが示す枚数の印刷を行うか否かを表示部９１６Ａに表示させ、ユーザから印刷を行う旨の指示を受けると、印刷制限枚数ＰＲＣを超える、現在受信されている印刷ジョブが示す枚数の印刷を印刷実行部９１２に実行させ、ユーザから印刷を行わない旨の指示を受けると、印刷制限枚数ＰＲＣを超える、現在受信されている印刷ジョブが示す枚数の印刷を印刷実行部９１２に実行させず、保持部９１７に保持された印刷ジョブを削除する。
これにより、印刷制限枚数ＰＲＣを超える印刷ジョブが示す枚数の印刷はユーザの意図に従ってその実行を決定することができ、印刷ジョブを削除したり、意図しない印刷を行うか否かの選択を行うことができ、意図しない印刷を回避することができ、ひいては意図する印刷を行うことができる。
【００８３】
また、本第２の実施形態において、判定部９１４は、予め設定しておいた通信端末５から送信された印刷ジョブが示す印刷枚数は所定期間ＴＰＰにおける累積枚数ＡＣＮに含めないように構成することも可能である。
これにより、特定のユーザの利便性を高めることが可能となっている。
【００８４】
（第３の実施形態）
次に、本発明の第３の実施形態について説明する。
本第３の実施形態が上述した第１の実施形態と異なる点は以下の通りである。
上述した第１の実施形態においては、所定期間ＴＰＰにおける、同じ通信端末５−ａからの印刷ジョブが示す印刷枚数ＮＢＰＪの累積枚数ＡＣＮに対して印刷制限枚数ＰＲＣを設定し、同じ通信端末５からの印刷ジョブが示す印刷枚数ＮＢＰＪの累積枚数ＡＣＮが印刷制限枚数ＰＲＣを超えている場合、受信した印刷ジョブを消去（削除）する。
これに対して、第３の実施形態においては、プリンタ９Ｂは、印刷ジョブ当たりまたは同じ通信端末毎に印刷制限枚数を設けるのではなく、図１０の概念図に示すように、所定期間ＴＰＰにおける、送信機能ＴＭＦ毎の印刷ジョブＰＪＢが示す印刷枚数ＮＢＰＪの累積枚数ＡＣＮに対して印刷制限枚数ＰＲＣを設定し、送信機能ＴＭＦ毎の印刷ジョブＰＪＢが示す印刷枚数ＮＢＰＪの累積枚数ＡＣＮが印刷制限枚数ＰＲＣを超えている場合、受信した印刷ジョブＰＢＪを削除する。
【００８５】
なお、第４の実施形態では、後述するように、送信機能ＴＭＦ毎の印刷ジョブＰＪＢが示す印刷枚数ＮＢＰＪの累積枚数ＡＣＮが印刷制限枚数ＰＲＣを超えている場合、受信した印刷ジョブを直ちに削除しないで、印刷制限枚数ＰＲＣを超えて印刷を行うか否かを表示部等を介して報知し、ユーザの指示に従い印刷を実行するかしないかを制御する。印刷制限枚数ＰＲＣを超えて印刷を行わない場合に受信した印刷ジョブＰＪＢを消去（削除）する。
【００８６】
本第３の実施形態において、通信端末５が所定の送信機能ＴＭＦにより印刷ジョブＰＪＢをプリンタ９Ｂに送信するが、この印刷ジョブＰＪＢの送信とともに、印刷ジョブＰＪＢを送信した送信機能ＴＭＦを識別することができる識別情報ＩＤＦが送信され、ネットワーク３で中継されてプリンタ９Ｂで印刷ジョブＰＪＢとともに受信される。
【００８７】
前述したように、プリンタ９Ｂに対して印刷ジョブを送信する送信機能としては、インターネット対応のメールプリント機能、電話回線対応のＦＡＸ，ネットワークで共有設定されるネットワークプリンタ、スマートフォンからの直接印刷を実現する無線ＬＡＮ対応のＷｉｆｉダイレクト、パーソナルコンピュータ（ＰＣ）に直接接続されるＵＳＢ等を例示することができる。
図１０の例は、送信機能がＦＡＸの場合であり、この場合、識別情報ＩＤＦはＦＡＸを示す情報である。
【００８８】
図１０の例では、所定期間ＴＰＰは、「１２時間」、「１日」、「１週間（７日）」等に適宜設定される。そして、送信機能ＦＡＸの印刷制限枚数ＰＲＣは、「１００枚」に設定される。
図１０の例では、所定期間ＴＰＰ内に、送信機能ＦＡＸにより小刻みに印刷枚数ＮＢＰＪ１１が１０枚の第１印刷ジョブＰＪＢ１１、印刷枚数ＮＢＰＪ１２が３０枚の第２印刷ジョブＰＪＢ１２、印刷枚数ＮＢＰＪ１３が２０枚の第３印刷ジョブＰＪＢ１３、印刷枚数ＮＢＰＪ１４が４０枚の第４印刷ジョブＰＪＢ１４が送信されてきて、既に累積枚数ＡＣＮ，１００枚の印刷が行われている。
そしてさらに、所定期間ＴＰＰ内に，送信機能ＦＡＸにより印刷枚数ＮＢＰＪ１５が４０枚の第５印刷ジョブＰＪＢ１５が送信されてきたが、この第５印刷ジョブＰＪＢ１５を受信する以前に、第１〜第４印刷ジョブＰＪＢ１１〜ＰＪＢ１４の印刷の累積枚数ＡＣＮが印刷制限枚数ＰＲＣの１００枚に達していることから、第５印刷ジョブＰＪＢ１５はその印刷が印刷制限枚数ＰＲＣの１００枚を超えることになる。
従って、本第３の実施形態においては、受信した第５印刷ジョブＰＪＢ１５は消去（削除）されることになる。
【００８９】
なお、第４の実施形態においては、後述するように、受信した第５印刷ジョブＰＪＢ１５を削除しないで、印刷制限枚数ＰＲＣを超えて印刷を行うか否かを表示部等を介して報知し、ユーザの指示に従い印刷を実行するかしないかが制御される。印刷制限枚数ＰＲＣを超えて印刷を行わない場合に受信した印刷ジョブが削除される。
【００９０】
図１１は、本第３の実施形態に係るプリンタ９Ｂの要部の構成例を示すブロック図である。
【００９１】
図１１のプリンタ９Ｂは、受信部９０１Ｂ、印刷実行部９０２、記録部９０３Ｂ、判定部９０４、消去部９０５、更新部９０６、及び操作部９０７を含んで構成されている。
図１１のプリンタ９Ｂは、受信する識別情報が通信端末の識別情報ＩＤＴから送信機能の識別情報ＩＤＦに代わった以外は、各部の構成及び機能は、図３のプリンタ９と同様であることから、その詳細な構成、機能、動作については省略する。
【００９２】
なお、本第３の実施形態においては、記録部９０３Ｂに記録された枚数制限情報である印刷制限枚数ＰＲＣは、例えば、下記のように、印刷ジョブの送信機能毎に設定される。
例えば、
メールプリント機能（インターネット）：印刷制限枚数（ＰＲＣ）１０枚、
ＦＡＸ：印刷制限枚数（ＰＲＣ）１００枚、
ネットワークプリンタ：印刷制限枚数（ＰＲＣ）２００枚、
Ｗｉｆｉダイレクト：印刷制限枚数（ＲＰＣ）１５枚
【００９３】
本第３の実施形態によれば、上述した第１の実施形態の効果と同様の効果を得ることができる。
【００９４】
（第４の実施形態）
次に、本発明の第４の実施形態について説明する。
本第４の実施形態が上述した第２の実施形態と異なる点は、上述した第３の実施形態が第１の実施形態と異なる点と同様であり、以下の通りである。
上述した第２の実施形態においては、所定期間ＴＰＰにおける、同じ通信端末５−ａからの印刷ジョブが示す印刷枚数ＮＢＰＪの累積枚数ＡＣＮに対して印刷制限枚数ＰＲＣを設定し、同じ通信端末５からの印刷ジョブが示す印刷枚数ＮＢＰＪの累積枚数ＡＣＮが印刷制限枚数ＰＲＣを超えている場合、受信した印刷ジョブを直ちに削除しないで、印刷制限枚数ＰＲＣを超えて印刷を行うか否かを表示部等を介して報知し、ユーザの指示に従い印刷を実行するかしないかを制御する。印刷制限枚数ＰＲＣを超えて印刷を行わない場合に受信した印刷ジョブＰＪＢを削除する。
これに対して、第４の実施形態においては、プリンタ９Ｃは、印刷ジョブ当たりまたは同じ通信端末毎に印刷制限枚数を設けるのではなく、図１０の概念図に示すように、所定期間ＴＰＰにおける、送信機能ＴＭＦ毎の印刷ジョブＰＪＢが示す印刷枚数ＮＢＰＪの累積枚数ＡＣＮに対して印刷制限枚数ＰＲＣを設定する。そして、プリンタ９Ｃは、送信機能ＴＭＦ毎の印刷ジョブＰＪＢが示す印刷枚数ＮＢＰＪの累積枚数ＡＣＮが印刷制限枚数ＰＲＣを超えている場合、受信した印刷ジョブを直ちに削除しないで、印刷制限枚数ＰＲＣを超えて印刷を行うか否かを表示部等を介して報知し、ユーザの指示に従い印刷を実行するかしないかを制御する。印刷制限枚数ＰＲＣを超えて印刷を行わない場合に受信した印刷ジョブＰＪＢを削除する。
【００９５】
本第４の実施形態においても、上述した第３の実施形態と同様に、通信端末５が所定の送信機能ＴＭＦにより印刷ジョブＰＪＢをプリンタ９に送信するが、この印刷ジョブＰＪＢの送信とともに、印刷ジョブＰＪＢを送信した送信機能ＴＭＦを識別することができる識別情報ＩＤＦが送信され、ネットワーク３で中継されてプリンタ９Ｂで印刷ジョブＰＪＢとともに受信される。
【００９６】
前述したように、プリンタ９Ｃに対して印刷ジョブを送信する送信機能としては、インターネット対応のメールプリント機能、電話回線対応のＦＡＸ，ネットワークで共有設定されるネットワークプリンタ、スマートフォンからの直接印刷を実現する無線ＬＡＮ対応のＷｉｆｉダイレクト、パーソナルコンピュータ（ＰＣ）に直接接続されるＵＳＢ等を例示することができる。
図１０の例は、送信機能がＦＡＸの場合であり、この場合、識別情報ＩＤＦはＦＡＸを示す情報である。図１０の説明は第３の実施形態で行っていることから、ここではその説明は省略する。
【００９７】
図１２は、本第４の実施形態に係るプリンタ９Ｂの要部の構成例を示すブロック図である。
【００９８】
図１２のプリンタ９Ｃは、受信部９１１Ｃ、印刷実行部９１２、記録部９１３Ｃ、判定部９１４Ｃ、制御部９１５、報知部９１６、保持部９１７、更新部９１８、印刷枚数係数部９１９、及び操作部９２０を含んで構成されている。
図１２のプリンタ９Ｃは、受信する識別情報が通信端末の識別情報ＩＤＴから送信機能の識別情報ＩＤＦに代わった以外は、各部の構成及び機能は、図６のプリンタ９Ａと同様であることから、その詳細な構成、機能、動作については省略する。
【００９９】
なお、本第４の実施形態においては、記録部９１３Ｃに記録された枚数制限情報である印刷制限枚数ＰＲＣは、例えば、第３の実施形態と同様に、下記のように、印刷ジョブの送信機能毎に設定される。
例えば、
メールプリント機能（インターネット）：印刷制限枚数（ＰＲＣ）１０枚、
ＦＡＸ：印刷制限枚数（ＰＲＣ）１００枚、
ネットワークプリンタ：印刷制限枚数（ＰＲＣ）２００枚、
Ｗｉｆｉダイレクト：印刷制限枚数（ＲＰＣ）１５枚
印刷ジョブが送信される送信機能の種別は、印刷ジョブを受信する際に使用するハードウェアや通信規格により判定できる。また、通信を確立する際に、相互に相手の機器に関する情報を送受し合う場合は、その情報によっても判定できる。
例えば、印刷ジョブが送信される送信機能の種別は、受信に用いるハードウェアの規格により判定できる。また、受信に用いられる通信プロトコルで判定してもよい。さらに、受信する印刷ジョブのデータ形式で判定してもよい。さらに、印刷ジョブに含まれる通信端末の情報で判定してもよい。
具体的には、プリンタ９Ｃが、受信に使用するハードウェアとして、異なる通信規格に対応したものや、異なる周波数帯に対応したものなどを複数備えている場合、それらのうちどのハードウェアを用いて受信したかで判定できる。これと同様に、プリンタ９Ｃが複数の通信プロトコルを用いて受信できる場合、それらのうちどの通信プロトコルを用いて受信したかで判定できる。また、通信プロトコルで通信を確立する際に利用する通信対象に関する情報を使用して判定してもよい。印刷ジョブに含まれる印刷されるデータは、そのデータを作成したソフトウェアにより異なる形式である場合があるため、データの形式で判定ができる。また、印刷ジョブの中に、印刷ジョブを生成したソフトウェアの名前やバージョン情報が含まれていれば、それらによっても判定できる。
以上のいずれか、あるいは２以上を組み合わせて、送信機能が、メールプリント機能、ＦＡＸ、ネットワークプリンタ、およびＷｉｆｉダイレクトのいずれであるかを判定できる。
【０１００】
本第４の実施形態によれば、上述した第２の実施形態の効果と同様の効果を得ることができる。
【０１０１】
本発明は、以上の実施形態に限定されず、種々の態様で実施されてよい。
【０１０２】
なお、以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【符号の説明】
【０１０３】
１・・・印刷ジョブプリントシステム、３・・・ネットワーク、５・・・通信端末（送信側装置）、７・・・管理装置、９，９Ｂ・・・プリンタ、９０１，９０１Ｂ・・・受信部、９０２・・・印刷実行部、９０３，９０３Ｂ・・・記録部、９０４，９０４Ｂ・・・判定部、９０５・・・消去部、９０６・・・更新部、９０７・・・操作部、９Ａ，９Ｃ・・・プリンタ、９１１，９１１Ｃ・・・受信部、９１２・・・印刷実行部、９１３，９１３Ｃ・・・記録部、９１４，９１４Ｃ・・・判定部、９１５・・・制御部、９１６・・・報知部、９１６Ａ・・・表示部、９１７・・・保持部、９１８・・・更新部、９１９・・・印刷枚数係数部、９２０・・・操作部。
【図１】
2016187903.tif 000003
【図２】
2016187903.tif 000004
【図３】
2016187903.tif 000005
【図４】
2016187903.tif 000006
【図５】
2016187903.tif 000007
【図６】
2016187903.tif 000008
【図７】
2016187903.tif 000009
【図８】
2016187903.tif 000010
【図９】
2016187903.tif 000011
【図１０】
2016187903.tif 000012
【図１１】
2016187903.tif 000013
【図１２】
2016187903.tif 000014